(57)【要約】【課題】種類が異なる複数のモダリティの操作を可能にし、かつ、コンソールアプリケーションプログラム（ＣＡＰ）の更新作業を簡単にする。【解決手段】携帯型コンソール端末１０は、複数種類のモダリティに対応する複数種類のコンソールアプリケーションプログラム（ＣＡＰ）が格納されたサーバ１６にアクセスして、ＣＡＰを取得するプログラム取得部５１を備えている。また、複数種類のＣＡＰを実行することが可能であり、ＣＡＰの種類に応じて、ＣＡＰに対応するモダリティのコンソール機能を実現する制御部５０を備えている。また、制御部の制御の下、モダリティに対する操作信号の送信を含む通信を無線で行う無線通信部を備えている。【選択図】図３
2014188082.tif 000002
【特許請求の範囲】
【請求項１】
モダリティの操作が可能な携帯型コンソール端末において、
複数種類のモダリティに対応する複数種類のコンソールアプリケーションプログラムが格納されたサーバにアクセスして、前記コンソールアプリケーションプログラムを取得するプログラム取得部と、
複数種類の前記コンソールアプリケーションプログラムを実行することが可能であり、前記コンソールアプリケーションプログラムの種類に応じて、前記コンソールアプリケーションプログラムに対応する前記モダリティのコンソール機能を実現する制御部と、
前記コンソールアプリケーションプログラムの種類に応じて前記制御部によって生成される操作画面を表示する表示部と、
前記制御部の制御の下、前記モダリティに対する操作信号の送信を含む通信を無線で行う無線通信部とを備えていることを特徴とする携帯型コンソール端末。
【請求項２】
前記モダリティの種類を識別するためのモダリティＩＤを取得するＩＤ取得部を有しており、
前記プログラム取得部は、前記ＩＤ取得部が取得した前記モダリティＩＤを前記サーバに送信して、前記サーバから前記モダリティＩＤに対応する前記コンソールアプリケーションプログラムを取得することを特徴とする請求項１記載の携帯型コンソール端末。
【請求項３】
前記ＩＤ取得部は、マニュアルによる操作入力を受けて前記モダリティＩＤを取得することを特徴とする請求項２記載の携帯型コンソール端末。
【請求項４】
前記ＩＤ取得部は、前記モダリティとの無線通信により前記モダリティＩＤを取得することを特徴とする請求項２又は３記載の携帯型コンソール端末。
【請求項５】
前記ＩＤ取得部は、前記無線通信部とは別に設けられた近距離無線通信部であることを特徴とする請求項４記載の携帯型コンソール端末。
【請求項６】
前記コンソール機能には、前記モダリティから受信したデータを前記表示部に表示する表示制御機能が含まれることを特徴とする請求項１〜５のいずれか１項記載の携帯型コンソール端末。
【請求項７】
前記受信したデータには、前記モダリティで撮影された画像、及び前記モダリティのメンテナンス情報のうち少なくとも１つが含まれることを特徴とする請求項６記載の携帯型コンソール端末。
【請求項８】
前記プログラム取得部は、前記無線通信部を通じて前記サーバにアクセスすることを特徴とする請求項１〜７のいずれか１項記載の携帯型コンソール端末。
【発明の詳細な説明】
【技術分野】
【０００１】
本発明は、モダリティの操作が可能な携帯型コンソール端末に関する。
【背景技術】
【０００２】
近年、医療分野において、Ｘ線撮影装置や内視鏡装置などの医用画像撮影装置（モダリティ）が知られている。各モダリティには、それぞれに対応して、撮影指示などの操作信号を送信してモダリティの操作を行うためのコンソール端末が設けられている。コンソール端末は、例えばモダリティとケーブルで接続され、ケーブルを通じて操作信号をモダリティに送信する。内視鏡装置が複数台有る場合のように同種のモダリティが複数台有る場合でも、コンソール端末はモダリティ毎に設けられる。モダリティの数が増えると、それに応じてコンソール端末の数も増える。コンソール端末の数が多いと、その分設置スペースが嵩むことに加えて、モダリティ毎にコンソール端末を選択しなければならないため、煩雑である。
【０００３】
特許文献１には、内視鏡装置に用いられ、操作信号を無線で送信可能とすることにより、複数台の内視鏡装置の操作を１台で行うことが可能な携帯型コンソール端末が記載されている。医療用の携帯型コンソール端末は、例えばテレビのリモコンなど操作信号を操作対象のテレビに送信する送信機能のみを有する操作デバイスとは異なり、モダリティに対して操作信号を送信する送信機能に加えて、モダリティから撮影した画像や各種の情報を受信する機能と、受信した情報を表示する表示機能を備えている。携帯型コンソール端末をオペレータが１台携帯すれば、複数のコンソール端末を用いることなく複数台の内視鏡装置の操作が行えるため、操作対象となる内視鏡装置に応じて、オペレータが複数のコンソール端末を使い分ける煩雑さも解消される。
【先行技術文献】
【特許文献】
【０００４】
【特許文献１】特開２００７−１７５２２９号公報
【発明の概要】
【発明が解決しようとする課題】
【０００５】
特許文献１に記載の携帯型コンソール端末によれば、複数台の内視鏡装置のように同種の複数台のモダリティの操作を行うことが可能である。しかし、医療施設によっては、例えば、内視鏡装置とＸ線撮影装置というように、種類が異なるモダリティを導入しているところも多い。また、同じ内視鏡装置でも、型式や機種などの種類が異なると、操作信号が変わるため、内視鏡装置の種類によっては携帯型コンソール端末で操作できない場合もある。
【０００６】
そのため、特許文献１に記載の携帯型コンソール端末で、種類が異なるモダリティを操作するためには、モダリティの種類毎に携帯型コンソール端末を用意する必要があった。モダリティの種類毎に携帯型コンソール端末を取り替えなければならないとなると、オペレータは複数台の携帯型コンソール端末を持たなければならず、非常に煩雑である。
【０００７】
上述したように、モダリティ用の携帯型コンソール端末は、テレビ用の学習機能付きリモコンのように、操作信号のみを記憶させればよいというものでは無く、モダリティが撮影した画像などの各種のデータを受信する機能などが必要になる。そのため、モダリティ用の携帯型コンソール端末の場合は、テレビ用の学習機能付きリモコンと同じように複数種類の機種に対応させることはできない。
【０００８】
こうした問題の解決策として、例えば、携帯型コンソール端末に複数種類のモダリティに対応するコンソールアプリケーションプログラム（以下、ＣＡＰという）をインストールすることにより、種類が異なるモダリティを操作可能にすることが考えられる。
【０００９】
しかしながら、このようにＣＡＰを複数種類のモダリティに対応させても、医療施設において、モダリティの入れ替えなどによって新たなモダリティを導入した場合には、その都度、ＣＡＰの更新が必要になる。ＣＡＰの更新の都度、オペレータから端末を回収してＣＡＰのインストール作業を行うには手間と時間が掛かる。医療施設によっては、モダリティを操作する医師や技師などのオペレータの数も多いため携帯型コンソール端末の台数も多い。このような場合には、ＣＡＰのインストール作業に必要な手間と時間が膨大になるため、特に問題となる。
【００１０】
特許文献１には、携帯型コンソール端末を種類が異なるモダリティを操作可能にすること、及びその場合に想定される上記問題点について明示も示唆も無い。
【００１１】
本発明は、上記課題に鑑みてなされたもので、種類が異なる複数のモダリティの操作が可能で、かつ、ＣＡＰ（コンソールアプリケーションプログラム）の更新作業が簡単な携帯型コンソール端末を提供することを目的とする。
【課題を解決するための手段】
【００１２】
上記目的を達成するために、本発明の携帯型コンソール端末は、モダリティの操作が可能な携帯型コンソール端末において、複数種類のモダリティに対応する複数種類のコンソールアプリケーションプログラムが格納されたサーバにアクセスして、コンソールアプリケーションプログラムを取得するプログラム取得部と、複数種類のコンソールアプリケーションプログラムを実行することが可能であり、コンソールアプリケーションプログラムの種類に応じて、コンソールアプリケーションプログラムに対応するモダリティのコンソール機能を実現する制御部と、コンソールアプリケーションプログラムの種類に応じて制御部によって生成される操作画面を表示する表示部と、制御部の制御の下、モダリティに対する操作信号の送信を含む通信を無線で行う無線通信部とを備えている。
【００１３】
モダリティの種類を識別するためのモダリティＩＤを取得するＩＤ取得部を有しており、プログラム取得部は、ＩＤ取得部が取得したモダリティＩＤをサーバに送信して、サーバからモダリティＩＤに対応するコンソールアプリケーションプログラムを取得することが好ましい。
【００１４】
ＩＤ取得部は、マニュアルによる操作入力を受けてモダリティＩＤを取得することが好ましい。また、ＩＤ取得部は、モダリティとの無線通信によりモダリティＩＤを取得することが好ましい。また、ＩＤ取得部は、無線通信部とは別に設けられた近距離無線通信部であることが好ましい。
【００１５】
コンソール機能には、モダリティから受信したデータを表示部に表示する表示制御機能が含まれることが好ましい。また、受信したデータには、モダリティで撮影された画像、及びモダリティのメンテナンス情報のうち少なくとも１つが含まれることが好ましい。
【００１６】
プログラム取得部は、無線通信部を通じてサーバにアクセスすることが好ましい。
【発明の効果】
【００１７】
本発明によれば、１台の携帯型コンソール端末で種類が異なる複数のモダリティの操作が可能である。また、ＣＡＰ（コンソールアプリケーションプログラム）の更新作業を簡単に行うことができる。
【図面の簡単な説明】
【００１８】
【図１】携帯型コンソール端末に関する概略図である。
【図２】携帯型コンソール端末、医療施設、及びサーバの構成図である。
【図３】携帯型コンソール端末がＣＡＰを取得する際の機能図である。
【図４】携帯型コンソール端末に表示される操作画面に関する説明図である。
【図５】携帯型コンソール端末に表示されるメニュー画面の概略図である。
【図６】携帯型コンソール端末に表示される撮影オーダ画面の概略図である。
【図７】携帯型コンソール端末に表示される撮影条件設定画面の概略図である。
【図８】携帯型コンソール端末に表示される画像表示画面の概略図である。
【図９】携帯型コンソール端末に表示されるメンテナンス画面の概略図である。
【図１０】携帯型コンソール端末がＣＡＰを取得する際のフローチャートである。
【図１１】携帯型コンソール端末及びモダリティに設けられる近距離無線通信Ｉ／Ｆに関する説明図である。
【発明を実施するための形態】
【００１９】
図１に示すように、本発明の携帯型コンソール端末１０は、医療施設１２に設置された、種類の異なる複数のモダリティ１３Ａ，１３Ｂ，１３Ｃの操作が可能なコンソール端末である。モダリティ１３Ａは、例えば、Ｘ線による断層撮影を行うＣＴ（Computed Tomography）装置であり、モダリティ１３Ｂは、Ｘ線により胸部や頭部の２次元透過像の撮影を行う一般Ｘ線撮影装置であり、モダリティ１３Ｃは、Ｘ線により乳房を撮影する乳房撮影装置である。
【００２０】
携帯型コンソール端末１０は、モダリティ１３Ａ，１３Ｂ，１３Ｃに対して操作信号を送信する送信機能、モダリティ１３Ａ，１３Ｂ，１３Ｃが撮影した画像を受信する受信機能、撮影した画像などモダリティ１３Ａ，１３Ｂ，１３Ｃから受信したデータの表示機能、及びモダリティ１３Ａ，１３Ｂ，１３Ｃが実行する撮影の条件（以下、撮影条件という）の設定機能などを含むコンソール機能を備えている。携帯型コンソール端末１０は、表示部２２を備えており、操作画面や受信したデータは表示部２２に表示される。
【００２１】
携帯型コンソール端末１０は、モダリティ１３Ａ，１３Ｂ，１３Ｃに対応するコンソール機能を実現するためのコンソールアプリケーションプログラム（以下、ＣＡＰという）をサーバ１６から取得して、取得したＣＡＰを自動的にインストールする機能を備えている。
【００２２】
サーバ１６には、各モダリティ１３Ａ，１３Ｂ，１３Ｃに対応するＣＡＰが格納されている。携帯型コンソール端末１０が、各モダリティ１３Ａ，１３Ｂ，１３Ｃを識別するためのモダリティＩＤを指定してＣＡＰの配信要求をサーバ１６に送信すると、サーバ１６は、指定されたモダリティＩＤに対応するＣＡＰを携帯型コンソール端末１０に配信する。携帯型コンソール端末１０は、ＣＡＰが配信されると、ＣＡＰを自動的にインストールする。なお、モダリティＩＤは、モダリティのメーカー、機種、及び各モダリティに割り振られたＩＤから構成されている。本明細書中では、簡単のため、モダリティＩＤをＡ，Ｂ，Ｃなどと簡略化した表記を用いている。
【００２３】
図２に示すように、携帯型コンソール端末１０は、携帯電話やスマートフォンなどの携帯型情報端末をベースに、オペレーティングシステムなどの制御プログラムや、複数のＣＡＰを実行するための基本プログラム（ＢＰ）３０をインストールして構成される。携帯型コンソール端末１０は、例えば、平面形状が矩形で薄型の筐体内に、ＣＰＵ２５、メモリ２６、ストレージデバイス２７、無線通信Ｉ／Ｆ（無線通信部）２８が設けられており、これらは表示部２２と共にデータバス２９を介して接続されている。表示部２２は、タッチパネルディスプレイで構成され、操作入力を受け付ける操作入力受付部としても機能する。表示部２２は、筐体の前面又は背面に設けられている。
【００２４】
ストレージデバイス２７は、各種データを格納するデバイスであり、例えば、ハードディスクドライブやフラッシュメモリなどの半導体メモリで構成される。ストレージデバイス２７には、制御プログラムの他、サーバ１６から受信したＣＡＰや、モダリティ１３Ａ，１３Ｂ，１３Ｃから受信したデータが格納される。
【００２５】
メモリ２６は、ＣＰＵ２５が処理を実行するためのワークメモリである。ＣＰＵ２５は、ストレージデバイス２７に格納されたプログラムをメモリ２６へロードして、プログラムに従った処理を実行することにより、携帯型コンソール端末１０の各部を統括的に制御する。
【００２６】
無線通信Ｉ／Ｆ２８は、電波を送受信するアンテナを有しており、通信ネットワーク３１を介して、モダリティ１３Ａ，１３Ｂ，１３Ｃ及びサーバ１６と通信するための無線通信部である。
【００２７】
通信ネットワーク３１は、例えば、医療施設１２内に敷設されたＬＡＮ（Local Area Network）であり、有線ＬＡＮや無線ＬＡＮが混合した形態である。例えば、通信ネットワーク３１は、携帯型コンソール端末１０の無線通信Ｉ／Ｆ２８と通信可能な無線アクセスポイントや、無線アクセスポイントと通信ケーブルで有線接続されるスイッチングハブやルータなどのネットワーク機器で構成されている。そして、通信ネットワーク３１は、携帯型コンソール端末１０と、モダリティ１３Ａ、１３Ｂ、１３Ｃ及びサーバ１６との間の通信を媒介する場合には、携帯型コンソール端末１０との間では無線アクセスポイントを経由して通信を媒介し、モダリティ１３Ａ、１３Ｂ、１３Ｃとの間ではスイッチングハブ、ルータ、通信ケーブルなどのネットワーク機器を経由して通信を媒介する。
【００２８】
また、モダリティ１３Ａは、制御部３３Ａと、通信ネットワーク３１を介して、携帯型コンソール端末１０から送信された操作信号の受信及び撮影した画像の携帯型コンソール端末１０への送信を行う通信Ｉ／Ｆ３４Ａとを備える。制御部３３Ａは、携帯型コンソール端末１０からの操作信号に基づいて、モダリティ１３Ａを制御する。モダリティ１３Ｂ、１３Ｃにも、モダリティ１３Ａと同様に、制御部３３Ｂ、３３Ｃ、通信Ｉ／Ｆ３４Ｂ、３４Ｃが設けられている。
【００２９】
また、サーバ１６は、通信ネットワーク３１を介して携帯型コンソール端末１０と通信を行うための通信Ｉ／Ｆ４５と、携帯型コンソール端末１０からＣＡＰの配信要求に応答して、ＣＡＰを配信するＣＡＰ配信部４２と、複数種類のモダリティに対応する複数種類のＣＡＰを格納するＣＡＰ格納部４３を備えている。
【００３０】
ＣＡＰ格納部４３は、ハードディスクなどのストレージデバイスであり、モダリティ１３Ａ、１３Ｂ、１３Ｃのそれぞれに対応するＣＡＰ−Ａ、ＣＡＰ−Ｂ、ＣＡＰ−Ｃと、モダリティＩＤ（Ａ、Ｂ、Ｃ）とを対応づけて格納している。ＣＡＰ配信部４２は、携帯型コンソール端末１０からモダリティＩＤを含む配信要求を受信すると、ＣＡＰ格納部４３内から指定されたモダリティＩＤに対応するＣＡＰを検索して、検索したＣＡＰを通信Ｉ／Ｆ４５を通じて、携帯型コンソール端末１０に配信する。
【００３１】
図３に示すように、携帯型コンソール端末１０において、基本プログラム（ＢＰ）３０起動すると、ＣＰＵ２５は、制御部５０、プログラム取得部５１として機能する。制御部５０は、携帯型コンソール端末１０の各部を統括的に制御する。表示部２２は、基本プログラム３０のＧＵＩ（Graphical User Interface）による操作画面５３を表示し、操作画面５３を通じてオペレータからの操作入力を受け付ける。操作入力には、モダリティ１３Ａ、１３Ｂ、１３Ｃに対応するモダリティＩＤの入力が含まれる。操作画面５３にはキーボード画面が表示され、キーボード画面のキー操作によってモダリティＩＤが入力される。ここで、操作画面５３を表示するタッチパネル式の表示部２２がモダリティＩＤのマニュアルによる操作入力を受け付けてモダリティＩＤを取得するＩＤ取得部として機能する。表示部２２の表示内容などの表示制御は、制御部５０によって行われる。
【００３２】
操作画面５３から入力されたモダリティＩＤは、プログラム取得部５１に入力される。プログラム取得部５１は、入力されたモダリティＩＤを含む配信要求を生成し、配信要求を無線通信Ｉ／Ｆ２８を介してサーバ１６に送信して、サーバ１６からＣＡＰを取得する。取得したＣＡＰは、ストレージデバイス２７に格納される。操作画面５３には、ストレージデバイス２７に格納されたＣＡＰの一覧を表示するＣＡＰの表示や、選択したＣＡＰを実行する実行指示を与える実行ボタンを有している。
【００３３】
制御部５０は、操作画面５３を通じてＣＡＰの実行指示を受け付けた場合には、選択されたＣＡＰを実行することにより、各モダリティ１３Ａ、１３Ｂ、１３Ｃのコンソール機能を実現する。ＣＡＰには、各モダリティ１３Ａ、１３Ｂ、１３Ｃに対応するＧＵＩによる操作画面５５や、各種の操作信号のデータが含まれている。制御部５０は、ＣＡＰを実行すると、ＣＡＰに対応する操作画面５５を表示部２２に表示し、操作画面５５を通じてオペレータからの操作入力を受け付ける。つまり、制御部５０は、ＣＡＰを実行することにより、ＣＡＰに応じて各モダリティ１３Ａ、１３Ｂ、１３Ｃに対応するコンソール機能を実現する。
【００３４】
具体的には、図４に示すように、制御部５０は、ＣＴ装置であるモダリティ１３Ａに対応するＣＡＰ−Ａを実行すると、ＣＡＰ−Ａに対応する操作画面５５Ａを表示部２２に表示する。操作画面５５Ａには、ＣＴ画像５６Ａを表示する表示領域と、ＧＵＩによって構成される操作ボタンなどが設けられた操作パネル５７Ａが表示される。そして、制御部５０は、操作パネル５７Ａを通じてモダリティ１３Ａの操作入力を受け付けて、それに対応する操作信号Ａをモダリティ１３Ａに送信する。また、モダリティ１３Ａから撮影したＣＴ画像５６Ａを含むデータＡを受信して、操作画面５５Ａに表示する。
【００３５】
また、制御部５０は、一般Ｘ線撮影装置であるモダリティ１３Ｂに対応するＣＡＰ−Ｂを実行すると、ＣＡＰ−Ｂに対応する操作画面５５Ｂを表示部２２に表示する。操作画面５５Ｂには、Ｘ線画像５６Ｂを表示する表示領域と、操作パネル５７Ｂが表示される。そして、制御部５０は、操作パネル５７Ｂを通じてモダリティ１３Ｂの操作入力を受け付けて、それに対応する操作信号Ｂをモダリティ１３Ｂに送信する。また、モダリティ１３Ｂから撮影したＸ線画像５６Ｂを含むデータＢを受信して、操作画面５５Ｂに表示する。
【００３６】
同様に、制御部５０は、乳房撮影装置であるモダリティ１３Ｃに対応するＣＡＰ−Ｃを実行すると、ＣＡＰ−Ｃに対応する操作画面５５Ｃを表示部２２に表示する。操作画面５５Ｃには、乳房画像５６Ｃを表示する表示領域と、操作パネル５７ｃが表示される。そして、制御部５０は、操作パネル５７Ｃを通じてモダリティ１３Ｃの操作入力を受け付けて、それに対応する操作信号Ｃをモダリティ１３Ｃに送信する。また、モダリティ１３Ｃから撮影した乳房画像５６Ｃを含むデータＣを受信して、操作画面５５Ｃに表示する。
【００３７】
操作画面５５には、モダリティ１３Ａ、１３Ｂ、１３Ｃで撮影された画像が表示されるが、この表示によってオペレータは適正に撮影が行われたか否かを確認する。確認が終了した後、受信した画像は、図示しない画像サーバに転送されて保存される。携帯型コンソール端末１０の操作画面５５について、より詳細な具体例を図５〜図９に示すモダリティ１３Ａの場合を例に説明する。
【００３８】
図５に示すように、モダリティ１３Ａの操作画面５５Ａのメニュー画面５９には、撮影オーダ表示機能、撮影条件設定機能、撮影機能、メンテナンス機能を選択するための選択ボタン６１〜６４が設けられている。
【００３９】
選択ボタン６１が選択されると、図６に示す撮影オーダ表示画面６７が表示される。撮影オーダ表示画面６７には、患者ＩＤ、患者氏名、撮影部位などの撮影オーダの内容を表示する。撮影部位は、例えば、頭部、胸部、腹部、全身などである。撮影オーダは、図示しない病院情報システムや放射線科情報システムに格納されており、携帯型コンソール端末１０は、通信ネットワーク３１を通じて撮影オーダを取得する。もちろん、携帯型コンソール端末１０において、撮影オーダをマニュアルで入力できるようにしてもよい。
【００４０】
入力された撮影オーダは、モダリティ１３Ａに送信される。これは、例えば、モダリティ１３Ａが、撮影オーダを、撮影した画像の付帯情報として記録するためである。もちろん、携帯型コンソール１０において、モダリティ１３Ａから撮影した画像に対して撮影オーダを記録してもよい。また、オペレータは、撮影オーダ表示画面６７で撮影オーダを確認することにより、撮影条件の設定を行う。
【００４１】
図５に示す選択ボタン６２が選択されると、例えば、図７に示すような撮影条件設定画面６９が表示される。撮影条件としては、Ｘ線の照射線量を決める管電流，Ｘ線の線質（エネルギースペクトル）を決定する管電圧，Ｘ線検出器の回転速度，Ｘ線検出器を回転方向と直交する軸方向の移動速度などによって決まる収集スライス厚などの設定項目が含まれる。撮影条件設定画面６９には、各設定項目に対応する入力欄が表示される。設定された撮影条件は、モダリティ１３Ａに送信される。モダリティ１３Ａは、受信した撮影条件に応じた撮影を行う。
【００４２】
図５に示す選択ボタン６３が選択されると、図８に示すような画像表示画面７１が表示される。撮影は画像表示画面７１を表示した状態で行われる。画像表示画面７１には、撮影前には当然ながら撮影された画像７３は表示されておらず、撮影後に画像７３が表示される。画像７３の表示には、モダリティに依存しない共通ビューワが用いられる。モダリティ１３ＡはＣＴ装置であるため、撮影によって複数枚の断層画像からなるシリーズ画像が得られる。画像７３の下には、表示する画像を切り替える切り替えボタン７４Ａ，７４Ｂが設けられている。切り替えボタン７４Ａ、７４Ｂによって表示する画像７３が順方向と逆方向に切り替えられる。画像表示画面７１において、画像７３を画像サーバに保存して病院内に配信する前に、撮影した画像７３や画像７３に付される患者属性情報や画像７３の並び順等を確認し、修正すること（以下、検像、と称する。）ができる。なお、撮影後に画像サーバに保存した画像を読み出して画像表示画面７１に表示できるようにしてもよい。
【００４３】
図５に示す選択ボタン６４が選択されると、例えば、図９に示すようなメンテナンス画面７６が表示される。メンテナンス項目としては、ＣＴ装置の各種設定を初期化するシステムリセット、Ｘ線検出器の感度補正や暗電流補正、Ｘ線検出器の回転及び移動機構による回転速度や移動速度のキャリブレーション、人工の人体模型であるファントムを使用してＣＴ装置の性能評価を行うファントムチェックなどがある。メンテナンス画面７６には、こうしたメンテナンス項目に関する実行ボタンや実行履歴を表示するためのボタンが設けられている。
【００４４】
実行履歴は、モダリティ１３Ａに格納されており、表示ボタンが押されると、モダリティ１３Ａに対して実行履歴の取得要求が送信され、モダリティ１３Ａが取得要求に応答して実行履歴を携帯型コンソール端末１０に送信する。さらに、メンテナンス画面７６には、撮影を実行した回数や日時などを記録した使用履歴を表示するための表示ボタンや、トラブルが発生した日時を記録したトラブル履歴を表示する表示ボタンが設けられている。使用履歴やトラブル履歴も、実行履歴と同様にモダリティ１３Ａに格納されており、携帯型コンソール端末１０からの要求に応じてモダリティ１３Ａから取得されて、表示部２２に表示される。他にも、マニュアル情報やリリース情報や、今までにどのサービスパッチをあてたかについても、メンテナンス画面７６から確認できるようにしてもよい。
【００４５】
モダリティ１３Ａの操作画面５５を例に説明したが、モダリティ１３Ｂ、モダリティ１３Ｃのコンソール機能についても同様に、ＣＡＰ−Ｂ、ＣＡＰ−Ｃには、各モダリティ１３Ｂ、１３Ｃに応じた撮影条件設定機能やメンテナンス機能が設けられており、それぞれに対応する撮影条件設定画面やメンテナンス画面が表示される。また、画像の表示にはモダリティに依存しない共通ビューワを用いているので、モダリティ１３Ｂ、モダリティ１３Ｃのコンソール機能についても、モダリティ１３Ａと同様の画像表示機能が設けられており、それぞれ同様の画像表示画面が表示される。モダリティ１３Ｂ、モダリティ１３Ｃのいずれの画像表示画面においても、モダリティ１３Ａと同様の一定の操作で、画像の表示や表示画像の切り替えや検像の操作を行うことができる。
【００４６】
以下、図１０に示すフローチャート図を参照しながら、本発明の携帯型コンソール端末１０の作用について説明する。
【００４７】
携帯型コンソール端末１０を使用してモダリティ１３Ａ、１３Ｂ、１３Ｃのいずれかを操作する場合には、まず、オペレータによって、操作対象となるモダリティに対応するモダリティＩＤが、表示部２２に表示される操作画面５３を通じて入力される（図３参照）。これにより、携帯型コンソール端末１０のプログラム取得部５１は、モダリティＩＤを取得する（ステップ（Ｓ）１０１）。
【００４８】
プログラム取得部５１は、取得したモダリティＩＤを含む配信要求をサーバ１６に送信する（Ｓ１０２）。サーバ１６は、配信要求を受信したか否かを常時監視しており（Ｓ２０１）、配信要求を受信した場合には（Ｓ２０１でＹＥＳ）、携帯型コンソール端末１０に向けて指定されたＣＡＰを配信する（Ｓ２０２）。
【００４９】
携帯型コンソール端末１０は、配信要求を送信後、サーバ１６からのＣＡＰの配信の有無を監視しており（Ｓ１０３）、ＣＡＰの配信があると（Ｓ１０３でＹＥＳ）、ＣＡＰを受信する（Ｓ１０４）。携帯型コンソール端末１０は、ＣＡＰ受信後、オペレータからのＣＡＰ実行指示の入力の有無を監視する（Ｓ１０５）。携帯型コンソール端末１０は、ＣＡＰ実行指示が入力されると（Ｓ１０５でＹＥＳ）、ＣＡＰを起動する（Ｓ１０６）。携帯型コンソール端末１０は、ＣＡＰを起動すると、ＣＡＰに基づいて操作画面５５を生成し（Ｓ１０７）、生成した操作画面５５を表示部２２に表示する（Ｓ１０８）。
【００５０】
携帯型コンソール端末１０は、ＣＡＰに応じた操作画面５５が表示されると、ＣＡＰに対応するモダリティのコンソールとして機能する。オペレータは操作画面５５を通じてモダリティに対する操作入力を行う。オペレータは、操作画面５５を通じて撮影オーダの確認や撮影条件の設定を行って撮影を行う。モダリティにおいて撮影が行われると、撮影した画像がモダリティから携帯型コンソール１０に送信される。携帯型コンソール１０は、画像を操作画面５５に表示する。オペレータは操作画面５５に表示された画像を見て、適正に撮影が行われたことを確認する。確認された画像は、携帯型コンソール１０から図示しない画像サーバに送信されて保存される。
【００５１】
メンテナンスを行う場合には、メンテナンス画面７６を通じて、メンテナンス項目に応じた実行指示を与える操作信号がモダリティに送信される。
【００５２】
別のモダリティの操作を行う場合には、操作対象となるモダリティについて、Ｓ１０１からＳ１０８のステップが繰り返される。
【００５３】
以上説明したように、本発明の携帯型コンソール端末１０によれば、医療施設１２に設けられた種類が異なる複数のモダリティ１３Ａ，１３Ｂ，１３Ｃの操作を行うことができる。しかも、携帯型コンソール端末１０は、各モダリティ１３Ａ、１３Ｂ、１３Ｃに応じたＣＡＰを予め格納したサーバ１６にアクセスしてＣＡＰを取得して、取得したＣＡＰを実行することにより、ＣＡＰに応じたコンソール機能を実現するので、オペレータによって簡単にＣＡＰの更新作業を行うことができる。また、ＣＡＰのヴァージョンアップが行われたり、新たなモダリティが導入されたりする場合には、サーバ１６に、ヴァージョンアップしたＣＡＰや新たなモダリティのＣＡＰをアップロードしておけば、携帯型コンソール端末１０がサーバ１６にアクセスしてＣＡＰのインストールが行われる。
【００５４】
そのため、オペレータが保有する携帯型コンソール端末を回収して、ＣＡＰの更新作業を行う場合と比較して、手間や時間を大幅に軽減できる。
【００５５】
また、ＣＡＰに実現されるコンソール機能には、撮影条件設定機能に加えて、メンテナンス機能が含まれているので、使い勝手もよい。
【００５６】
なお、上記実施形態において、サーバ１６から配信されて、ストレージデバイス２７に格納したＣＡＰについては、ストレージデバイス２７に保存しているので、次回起動時にはサーバ１６からの再配信を受けずに使用することができる。しかし、多数のＣＡＰを保存する場合にはストレージデバイス２７の容量不足も懸念される。このような場合には、使用頻度の少ないＣＡＰを自動的に削除してストレージデバイス２７の空き容量を確保してもよい。
【００５７】
上記実施形態では、携帯型コンソール端末１０において、モダリティＩＤの取得を、タッチパネル式の表示部２２を通じたマニュアル入力によって行われる例で説明したが、無線通信部Ｉ／Ｆ２８を、モダリティＩＤを取得するＩＤ取得部として機能させてもよい。
【００５８】
また、図１１に示すように、携帯型コンソール端末１０に、無線通信部Ｉ／Ｆ２８とは別に、近距離無線通信Ｉ／Ｆ（近距離無線通信部）８１を設けて、近距離無線通信Ｉ／Ｆ８１を、モダリティＩＤを取得するＩＤ取得部としてもよい。
【００５９】
この場合には、モダリティ１３Ａ、１３Ｂ、１３Ｃにも、近距離無線通信Ｉ／Ｆ８１に対応する近距離無線通信Ｉ／Ｆ８２が設けられる。近距離無線通信Ｉ／Ｆ８１、８２は、例えば、赤外線を利用する赤外線通信規格、２．４ＧＨｚの電波を使用するブルートゥース（登録商標）規格など、数センチから数メートルの範囲で通信を行う通信Ｉ／Ｆである。また、近距離無線通信Ｉ／Ｆとしては、ＲＦＩＤ（Radio Frequency Identification）タグなどを利用してもよい。
【００６０】
こうした近距離無線通信Ｉ／Ｆ８１を用いれば、モダリティＩＤのマニュアル入力が不要になるため、手間が掛からないことに加えて誤入力も防止できる。また、ＲＦＩＤタグなどを利用すれば、モダリティ１３Ａ、１３Ｂ、１３Ｃに携帯型コンソール端末１０をモダリティ１３Ａ、１３Ｂ、１３ＣにかざすだけでモダリティＩＤの取得が可能になるため、さらに簡便である。
【００６１】
なお、近距離無線通信Ｉ／Ｆ８１から、携帯型コンソール端末１０の近くにあるモダリティを探知する探知信号を常時発信し、探知信号を受信したモダリティからモダリティＩＤが自動的に送信されるようにしてもよい。
【００６２】
また、近距離無線通信Ｉ／Ｆ８１によるＩＤ取得と、マニュアル入力によるＩＤ取得の両方が可能であってもよい。
【００６３】
上記実施形態で説明した操作画面の例は一例であり、同様の機能を実現することが可能であれば他の形態でも構わない。また、コンソール機能としてメンテナンス機能を設けた例で説明したが、メンテナンス機能はなくてもよい。
【００６４】
さらに、モダリティの例として、ＣＴ装置、一般Ｘ線撮影装置、乳房撮影装置を例に説明したが、モダリティの数や種類は適宜変更可能である。モダリティの種類としては、上記の他、例えば、ＭＲＩ（Magnetic Resonance Imaging）装置、内視鏡装置、超音波撮影装置などがある。これら各種のモダリティのいかなる組み合わせでもよい。また、モダリティの種類には、同じＣＴ装置や一般Ｘ線撮影装置であっても、型式や年式などの機種が異なる場合も含まれる。
【００６５】
また、携帯型コンソール端末を用いて、異なる種類の複数台のモダリティを操作する例を説明したが、それに加えて、例えば、同じ種類のＣＴ装置が複数台ある場合など、同種の複数台のモダリティを操作できるようにしてもよい。同種のモダリティの場合には、ＣＡＰは同じものを用いることができる。ただし、同種の複数台のモダリティを区別する必要がある場合には、モダリティＩＤを取得してもよい。その場合には、例えば、取得したモダリティＩＤを付与して操作信号を与えることにより、操作信号の混信を防止することができる。
【符号の説明】
【００６６】
１０  携帯型コンソール端末
１３Ａ，１３Ｂ，１３Ｃ  モダリティ
１６  サーバ
２２  表示部
２８  無線通信Ｉ／Ｆ
３３Ａ，３３Ｂ，３３Ｃ  制御部
３４Ａ，３４Ｂ，３４Ｃ，４５  通信Ｉ／Ｆ
４２  ＣＡＰ配信部
４３  ＣＡＰ格納部
５０  制御部
５１  プログラム取得部
５３，５５  操作画面
７１  画像表示画面
７３  画像
７６  メンテナンス画面
８１，８２  近距離無線通信Ｉ／Ｆ
【図１】
2014188082.tif 000003
【図２】
2014188082.tif 000004
【図３】
2014188082.tif 000005
【図４】
2014188082.tif 000006
【図５】
2014188082.tif 000007
【図６】
2014188082.tif 000008
【図７】
2014188082.tif 000009
【図８】
2014188082.tif 000010
【図９】
2014188082.tif 000011
【図１０】
2014188082.tif 000012
【図１１】
2014188082.tif 000013